(57)【要約】      本発明は、改良されたヘアスタイリング装置に関し、かつ髪の毛にウェーブをかけるヘアスタイリング装置を提供する。この装置は縦方向軸を有するチューブ（１１０）を備え、チューブがその縦方向端部の少なくとも１つで開いており、それによって、髪の毛がチューブ内に導入されることができる。チューブは、延びてない状態と延びた状態との間を縦方向に延伸可能である。チューブの内部は、チューブがその延びてない状態の方へ移動するにつれて髪の毛を係合することができる少なくとも１つのバリア（１２０）を有し、このバリアが髪の毛の変形を制御して髪の毛に生成されるウェーブの形をそれによって制御する。【選択図】  図１、図２
2014512929.tif 000002
【特許請求の範囲】
【請求項１】
ウェーブを髪の毛にかけるためのヘアスタイリング装置であって、前記装置が、縦方向軸を有するチューブであって、前記チューブがその縦方向端部の少なくとも１つで開いており、それによって前記髪の毛が前記チューブ内に導入されることができ、延びてない状態と延びた状態との間を縦方向に延伸可能な前記チューブを備え、前記チューブがその延びてない状態の方へ移動するにつれて前記チューブの内部が、前記髪の毛を係合することができる少なくとも１つのバリアを有することを特徴とする装置。
【請求項２】
前記チューブが、弾性材料でできていてかつその縦方向端部の両方で開いていることを特徴とする請求項１に記載の装置。
【請求項３】
前記装置が、前記髪の毛をつかむ少なくとも１つの手段を含むことを特徴とする請求項１または請求項２に記載の装置。
【請求項４】
装置が、前記チューブ用のハウジングを含み、前記ハウジングが第１の部分および第２の部分を有し、前記第１の部分が前記第２の部分と分離可能であること、および前記ハウジングが、前記髪の毛をつかむ手段を具備することを特徴とする請求項３に記載の装置。
【請求項５】
複数のバリアが、前記チューブ内部の所定の位置にあることを特徴とする請求項１−４のいずれか１項に記載の装置。
【請求項６】
バリアの２本のラインがあることを特徴とする請求項５に記載の装置。
【請求項７】
前記バリアの２本のラインが、離れて間隔を置かれ、かつ前記髪の毛がその中に挿入されることができる前記バリアのラインの間の経路を規定することを特徴とする請求項６に記載の装置。
【請求項８】
一方のライン内の前記バリアが、もう一方のライン内の前記バリアからオフセットされることを特徴とする請求項６または請求項７に記載の装置。
【請求項９】
前記バリアが、前記チューブに完全にまたがることを特徴とする請求項１−８のいずれか１項に記載の装置。
【請求項１０】
前記または各バリアが、前記チューブのくぼみによって形成されることを特徴とする請求項１−５のいずれか一項に記載の装置。
【請求項１１】
前記チューブが、非円形断面を有することを特徴とする請求項１−１０のいずれか１項に記載の装置。
【請求項１２】
前記チューブが、２つの実質的に平らな側面および２つの縁部を備える実質的に長方形の断面を有することを特徴とする請求項１１に記載の装置。
【請求項１３】
前記バリアが、前記実質的に平らな側面の両方ともに接続されることを特徴とする請求項１１に記載の装置。
【請求項１４】
前記バリアが、螺旋形であることを特徴とする請求項１−４のいずれか１項に記載の装置。
【発明の詳細な説明】
【技術分野】
【０００１】
本発明は改良されたヘアスタイリング装置に関する。
【背景技術】
【０００２】
ヘアスタイリング装置が、本発明の発明者によって、特許文献１内に記述されている。特許文献１は、ラテックスなどの弾性チューブに髪の毛を挿入することによって髪の毛のスタイルを整える方法を開示し、チューブが縦方向に引き延ばされ、チューブの端部が髪の毛のそれぞれの部分に固定される。弾性チューブは収縮することを可能にされ、その結果収容された髪の毛が波打った形を強いられる。髪がチューブから除去された後で波打った形が維持されるように、髪の毛はチューブへの挿入の前か後に処理されることができる。
【０００３】
特許文献１はさらに、この方法に用いられる装置を記述する。類似したヘアスタイリング方法に用いられる改良された装置が、本発明者の後願である特許文献２、特許文献３および特許文献４内に記述されている。
【０００４】
これらの従来技術文献の全てが、この方法に用いられるヘアスタイリングの方法および装置の基本的構造の不必要な繰り返しを回避するために、参照により本願明細書に引用したものとし、その方法および基本的構造が、本発明によって共有される。
【先行技術文献】
【特許文献】
【０００５】
【特許文献１】国際特許第９５／２２９２０号明細書
【特許文献２】国際特許第９７／４６１３２号明細書
【特許文献３】国際特許第００／５７７４４号明細書
【特許文献４】国際特許第００／０８９６７号明細書
【発明の概要】
【発明が解決しようとする課題】
【０００６】
本発明者はヘアスタイリングの方法に用いられる装置に対する更なる改良を考案し、本発明はさらに改良された装置を目的とする。
【課題を解決するための手段】
【０００７】
本発明に従って、髪の毛にウェーブをかけるためのヘアスタイリング装置が提供され、この装置が縦方向軸を有するチューブを備え、このチューブがその縦方向端部の少なくとも１つで開いており、それによって、髪の毛がチューブ内に導入されることができ、このチューブが延びてない状態と延びた状態との間を縦方向に延伸可能であり、チューブがその延びてない状態の方へ移動するにつれて髪の毛を係合することができる少なくとも１つのバリアを、チューブの内部が有することを特徴とする。
【０００８】
本発明によって、したがって、髪の毛の変形が、バリア（複数バリア）と髪の毛との間の係合によって（少なくとも部分的に）制御され、髪に生成されるウェーブの形が、バリア（複数バリア）によって制御される。
【０００９】
先に述べた装置によって髪の毛に生成されたウェーブは主として無制御であり、それでウェーブの長さおよび幅が、特定のユーザに対して、髪の全長に沿って、かつ１つの髪束から別の髪束で変化する可能性がある。本発明者は、チューブ内のウェーブの形、したがって、チューブから除去される時のウェーブの形および各髪束により均一なウェーブ、ならびにユーザの髪の毛の全てにより均一なウェーブを生成する結果として生じる能力をよく制御する利点を認識した。
【００１０】
好ましくは、チューブが両端部で開いており、髪の毛がそれを通して貫通されることを可能にしている。好ましくはまた、チューブが弾性材料から形成される。
【００１１】
望ましくは、この装置が髪の毛をつかむ手段を含む。チューブがその延びた状態からその延びてない状態まで移動するにつれて髪の毛をつかむ手段が装置内に髪の毛を保持するのを助ける。
【００１２】
好ましくは、複数のバリアがチューブの全長に沿って所定の位置にある。
【００１３】
理想的には、バリアの２本のラインがあり、このバリアのラインが、髪の毛がバリアのラインの間をチューブに沿って通されることを可能にするために離れて間隔を置かれる。理想的にはさらに、一方のライン内のバリアが、もう一方のライン内のバリアからオフセットされ、それぞれのバリアが階段状のまたは互い違いにされた配置をもたらし、髪の毛が互い違いにされたバリアの間の空間内で変形することが可能であり、それによってバリアの配置が髪の毛のウェーブの形を決定する。
【００１４】
好ましくは、バリアはチューブに完全にまたがり、それによって、髪の毛のいずれもバリアの端部の上をまたは周りを通ることが可能でない。理解されるであろうことは、もし髪の毛のいずれかがバリアの端部の上をまたは周りを通ることが可能であれば、髪のスタイリングは望まれるものより一様でなく、更に、スタイリング過程の終わりでチューブから髪の毛を除去することが、より困難かもしれないことである。
【００１５】
望ましくは、チューブは円形でなく、「平らにされた」断面であり、例えば、短い、丸い縁部で接続される２つの実質的に平らな側面を有する。バリアは、好ましくは実質的に平らな側面の間の間隔にまたがってかつ側面の両方ともに接続され、それによってチューブの平らにされた形を維持するのを助けることができる。
【００１６】
好ましくは、装置はチューブ用のハウジングを含む。特許文献２、特許文献３および特許文献４の装置は、それらのそれぞれのチューブ用のハウジングを含み、および、本発明は好ましくは（類似した）ハウジングを含む。先の文献にて説明したように、ハウジングが使用中のチューブのより簡単な操作を容易にして、更にチューブとの必要な接触を減少させ、それはチューブが加熱される時とりわけ好ましい。
【００１７】
ハウジングを含む実施態様では、ハウジングは、適切に髪の毛の一部を締着することができるクリップなどの形の、髪の毛をつかむ手段を具備することができる。
【００１８】
望ましくは、チューブはシリコーンでできている。所望の弾性を有し、さらに約２５０℃までの温度すなわち毛をセットするのに必要とされるも温度に耐えることが可能であり、を上回るので、シリコーンは非常に適切な材料である。シリコーンチューブを用いる時、化学的トリートメントを用いる代わりに（またはそれとともに）熱を用いてウェーブをセットすることが可能である。いくつかの実施態様では、チューブ材料は光沢材のような金属粒子によってコーティングされるかまたは含浸されることができ；これはチューブの視覚的魅力を向上するだけでなく、それはその熱特性を高め、例えばチューブがより大きな熱量を保持することを可能にする。その形態の加熱が利用される場合、チューブを誘導加熱により影響されやすくするためにコーティング材または含浸材を選ぶことができる。
【００１９】
代わりとして、チューブは髪の毛に所望のウェーブを形成するように形状化される単一バリアを含むことができる。一実施態様において、バリアがチューブの内部に取り付けられる螺旋形の形であることができる。この種の実施態様ではチューブが、実質的に円形断面であることができ、髪の毛がそれに沿って通されることができる中央開通路をチューブが有するように、螺旋形バリアがチューブの直径の一部だけにまたがる。
【図面の簡単な説明】
【００２０】
本発明は次に、例証として添付の図面を参照して更に詳細に記述され、そこにおいて：
【００２１】
【図１】本発明に従う装置用のチューブの第１の実施態様の斜視図を示す；
【図２】図１のチューブの側面断面図を示す；
【図３】図１のチューブの端面図を示す；
【図４】チューブの第２の実施態様の側面断面図を示す；
【図５】図４のチューブの端面図を示す；
【図６】チューブの第３の実施態様の端面図を示す；
【図７】チューブの第４の実施態様の側面断面図を示す；
【図８】チューブの第５の実施態様の斜視図を示す；
【図９】図８のチューブの側面断面図を示す；
【図１０】第６の実施態様の側面断面図を示す；
【図１１】その延びてない状態のチューブとともに、本発明に従う装置の第７の実施態様のホルダおよびチューブを示す；
【図１２】その延びた状態のチューブとともに図１１のホルダおよびチューブを示す；
【図１３】クリップがその開いた状態にある、髪の毛を固定するためのクリップとともに、第８の実施態様のホルダおよびチューブの端面図を示す；
【図１４】その閉じられた状態のクリップとともに図１３に類似した図を示す；および、
【図１５】装置の特定の実施態様とともに使用するために組み合わせられた加熱およびフッキングツールの側面断面図を示す。
【発明を実施するための形態】
【００２２】
添付の図面の図１−９は、改良されたヘアスタイリング装置のチューブの種々の実施態様を示す。以下の記述から理解されることは、チューブが単独で用いられる、すなわちユーザまたはスタイリストが必要に応じてチューブおよび髪の毛をつかんで操作することができることである。そのような場合、チューブはヘアスタイリング装置の全体を備えることができる。
【００２３】
装置が、図１０−１５内に示されるハウジングの１つのような、チューブ用のハウジングを組み込むことができることもまた、理解されよう。ハウジングの準備は、ユーザにとって装置の操作をより容易にすることができ、また、とりわけチューブが加熱される場合、装置をより快適に利用することができる。この種の実施態様では、ヘアスタイリング装置はチューブおよびハウジングを備える。
【００２４】
第１の実施態様は、図１−３に示すようにチューブ１１０を備える。チューブは、丸い縁部１１４によって接続される２つの実質的に平らな側面１１２を有する平らにされた形である。平らな側面１１２は、また、バリア１２０によって相互接続され（バリアは、図１内に見えない）、各バリア１２０のそれぞれの端部が、（溶接または接着材によって適切に）側面１１２の各々の内部に固定され、それによってバリア１２０は図３に示すようにチューブの内部にまたがる。
【００２５】
図２内によりよく見られるように、バリアは２本の実質的にまっすぐなライン１２２、１２４で配置される。この実施態様のライン１２２、１２４は、平行でなくて、チューブの一端の方へ収束する（その端部が、「頭皮」端部ではなく、髪の毛の「自由」端部を一般的に保持する）。
【００２６】
理解されるであろうことは、ライン１２２、１２４の収束は、本発明に必須ではなく（かつ示される実施態様の全てによって共有されるのではない）、かつ、ラインが実質的にまっすぐであることも必須ではないことである。しかしながら、髪の毛に生成されるウェーブの形が、このタイプの従来装置によって利用可能であるものより一様であることが本発明の特徴であるので、バリア１２０の配置がランダムなパターンよりむしろ規則的パターンであることが望ましい。
【００２７】
また、図２内によりよく見られるように、ライン１２２内のバリア１２０が、ライン１２４内のバリア１２０に対してオフセットされるかまたは互い違いにされる。
【００２８】
使用中に、髪の毛（図示せず）が、チューブ１１０の第１の端部１２６から第２の端部１２８まで、チューブ１１０に沿って通される（第１の端部１２６がユーザの頭皮に隣接して位置する）。第１の端部１２６は、髪の毛を収容するために必然的に開いており、および、髪の毛を収集してチューブを通してそれを引っ張るために適切な鉤状のツールが第２の端部１２８から第１の端部１２６までチューブ１１０を貫通することができるように、第２の端部１２８は理想的にはまた、開いている（例えば図１５の鉤状のツール４０を参照のこと）。理解されるであろうことは、髪の毛が第２の端部１２８を貫通することは必要でなく、および、髪の毛は例えばチューブ１１０より短くなることができることである。
【００２９】
髪の毛は、チューブ１１０の中央領域１３０に沿って、とりわけライン１２２と１２４の間を通過する。チューブ１１０の第１の端部１２６は、髪の毛の頭皮端部に保持されるかまたは一時的に固定される。チューブ１１０がその後縦方向に延びる（引き延ばされる）時、中央領域１３０は横方向に圧縮されるようになり、特定の場合には、中央領域内の髪の毛を圧縮することができる。髪の毛の自由端部が、次いでチューブ１１０の第２の端部１２８に隣接して保持されるかまたは一時的に固定され、チューブがその延びてない状態の方へ戻るように徐々に解放されるにつれて延びたチューブ１１０内にある髪の毛が、チューブ１１０内にとどまることを確実にする。
【００３０】
特許文献１内に記述されるように、チューブ１１０がその延びてない状態の方へ戻って収縮するにつれて、髪の毛がチューブ１１０内で波打った形に変形するようにされる。この変形中に、髪の毛の一部がバリア１２０を係合し、ならびに、バリアの相対位置および特にそれらの互い違いにされた配置が、髪の毛を所定の長さおよび幅を有するウェーブに変形するように制御する。好ましい実施態様において、バリア１２０の配置はチューブ１１０の全長に沿って一様であり、それで結果として生じる波打った形が同じように一様である。
【００３１】
図１−３のチューブ１１０の壁は、（ゆるんだ状態で）１ｍｍの厚さを有するシリコーンから形成される。バリア１２０は、同じ材料から形成され、したがって、実質的に平らである。バリア１２０の端部は、チューブ１１０の側面１１２に溶接される。
【００３２】
図４および５の第２の実施態様では、チューブ２１０のバリア２２０は断面がおよそ５ｍｍの直径を有する実質的円形である。図４からわかることは、２本のライン２２２および２２４がこの実施態様では実質的に平行であるが、それは、しかし、それらは代わりとして必要に応じて第１の実施態様におけるように収束するかまたは発散することができることである。
【００３３】
図５からわかることは、バリア２２０が（各半分が好ましくはそのそれぞれの側面２１２と一体化されている）２半分で形成されることである。チューブ２１０の製作中に、側面２１２はチューブ２１０の平らにされた形を形成するために共に押圧され、バリア半分の係合端部は溶接または接着材によって共に固定される。
【００３４】
図６の第３の実施態様では、バリア３２０は一様でない断面であり、バリア部分３２０ａの実質的円形端部とバリア部分３２０ｂの実質的円形端部との間に段差がある。
【００３５】
図７の第４の実施態様では、バリアはチューブ４１０の押込加工または波形模様にすることによって形成される、すなわち、チューブの縁部４１４が先の実施態様のような線形ではなく、バリア４２０を規定するくぼみ４３２を含み、およびそれによって髪の毛に生成されるウェーブの形を規定する。
【００３６】
図８および９内に示されるチューブ５１０の第５の実施態様もまた、チューブ５１０の縁部を波形模様にすることによって形成されるバリア５２０を含み、波形模様にされた形が、生成されるウェーブの形により精密にマッチすることを意図される。
【００３７】
図１−９のそれらに類似したチューブが、チューブの対向する側面の一部を共に溶接するかまたはさもなければ接着することによって作成されることができることが理解されよう。したがって、図１−３のそれに類似した実施態様は、他の点では実質的に平らな側面（１１２）を共に押圧し、かつバリア（１２０）に対して所望の位置で側面を共に溶接することによって作成されることができる。同様に、図７の実施態様のくぼみは、例えば、縁部に隣接する側面を共に押圧し、かつ側面を共に溶接するかまたはさもなければ接着することによって生成され、くぼみ（４３２）に類似した形および位置のバリアを形成することができる。
【００３８】
図１０内に示されるチューブ６１０の第６の実施態様は、第１に、実質的円形断面のチューブを利用する点で、第２に、単一の延びたバリア６２０を利用する点で、および第３にバリアがチューブにまたがらないという点で、他の記述された実施態様と異なる。この実施態様では、バリア６２０は螺旋形であり、チューブ６１０の内部に固定される螺旋形ウェブを備える。バリア６２０は、チューブ６１０の直径の一部だけを占めて、髪の毛がそれを貫通することができる中央開口部６３０を残す。この実施態様は、他の実施態様と同様に機能するが、しかしながら、チューブがその延びた状態からゆるめられるので、収容された髪の毛に螺旋形バリア６２０の位置によって決定されるウェーブが形成され、髪の毛がバリア６２０に類似したピッチの螺旋形を形成する傾向がある。
【００３９】
図１１−１２は、チューブ７１０およびハウジング４２を備える装置の第７の実施態様を示す。ハウジング４２は、図１１の状態で共に固定されるかまたは図１２に示すように固定されずその後分離されることができるベース部分４４および最上部４６を備える。それぞれ、チューブ７１０の端部７２６はベース部分４４に固定され、チューブ７１０の端部７２８は最上部４６に固定される。したがって、ユーザがベース部分４４から最上部４６を分離するので、図１２に示すように、チューブ７１０は延びる。図１１および１２では、チューブはチューブ１１０に類似しているが、しかし適切なハウジングが先の実施態様のいずれかとともに用いられることができることが理解されよう。
【００４０】
要望どおり、ハウジング４２は中実壁または開口壁を有することができ、後者は、髪の毛を乾燥させるために（例えば外部のヘアドライヤから）熱をチューブに加えることが求められる場合有益である。
【００４１】
図１３および１４は、髪の毛をつかむために設けられる任意選択のクリップ５０を示す。クリップ５０は好ましくは、ハウジング８４２によって具備される（それは、他の点では図１１および１２のハウジング４２と同一であることができる）。図１４に示すように、クリップが閉じられる時、それはチューブ８１０を圧縮してそれによって髪の毛をチューブ内に圧縮してつかむ。クリップは、ラッチ部材５２によって閉位置にラッチ係合されることができる。
【００４２】
一代替実施態様では、クリップが直接髪の毛を係合する、すなわち、それは介在チューブ経由で毛をつかまない。
【００４３】
（例えば）チューブ１１０だけを備える装置またはチューブおよびハウジング７１０、４２を備える装置が、毛をつかむ何の手段もなしで用いられることができることが理解されよう。この種の実施態様は、ユーザまたはスタイリストがユーザの頭部に対向して装置を保持する必要があり、かつさらに、ユーザまたはスタイリストが、チューブがその延びた状態からその延びてない状態まで移動されるにつれて髪の毛がチューブ内にとどまることを確実にする必要がある。しかしながら好まれるのは、ユーザの毛が乾燥しているかまたは形成されたウェーブを維持するために処理される間、装置が適所に残されることができるように、クリップ５０または毛をつかむ類似した手段が装置の「頭皮端部」に（すなわちチューブ１１０の端部１２６またはチューブ７１０の端部７２６と隣接して）設けられることである。加えて、チューブ内に髪の毛を保持するために、第２のクリップ５０または類似物が装置の「自由端」に（すなわちチューブ１１０の端部１２８またはチューブ７１０の端部７２８と隣接して）設けられることが好まれる。
【００４４】
図１５は、図１１および１２の装置とともに使用するために設計された組合せ加熱およびフッキングツール４０を示す。ツール４０は、そこから３本のフォーク６２および６４を突き出すハンドル６０を備える。フォーク６２および６４の１本以上が、スタイリング操作の前にチューブ７１０を加熱するためにそれによって加熱されることができる。熱は、フォーク（複数フォーク）内の電気コイル経由で加えられることができ、かつハンドル６０上のスイッチによってまたは（ヘアドライヤまたは導電もしくは誘導ヒータのような）外部手段経由で作動する。
【００４５】
中央フォーク６２は、チューブ７１０の中央通路７３０に沿って通すように設計され、かつ、髪の毛（図示せず）を収集し、かつ、（チューブ７１０が所望の温度に到達した時）チューブ７１０を通して髪の毛を引っ張るために用いられることができるフック６６を形成するために延びる。
【００４６】
髪の毛がチューブ７１０を貫通した時、ベース部分４４は次いで、ユーザの頭皮に隣接した髪の毛に保持され（または５０のようなクリップによって固定され）、および、最上部４６はチューブ７１０を伸ばすためにベース部分４４から遠ざけられる。チューブ７１０が完全に延びた、または最上部４６がベース部分４４に対して選ばれた位置へ移動された時、髪の毛の自由端は、チューブ内に髪の毛を保持するためにチューブ７１０の端部７２８に隣接して保持される（または５０のようなクリップによって固定される）。チューブ７１０はその後にその延びてない位置へ移動され、前述したように髪の毛がチューブ内にウェーブを形成するようにすることができる。
【００４７】
４２のようなハウジングを含む装置の実施態様では、バリア（複数バリア）がチューブの両方の側面に接続される必要はないことが理解されよう。したがって、バリアがチューブの側面の間の間隔に完全にまたがり、それで毛がまったくバリアの端部のまわりをまたはその上を通ることができないことがほとんどの実施態様で求められるのに対して、ハウジングがさらに、チューブの側面を共に押圧し、それによってバリアの端部に対向して側面を押圧するよう作用することができる。バリアが側面の１つにだけ接続される場合でさえ、ハウジングによって加えられる圧力はバリアの端部のまわりの毛の望まない通過を防ぐのに十分であることができる。
【００４８】
チューブおよびハウジングの形ならびにバリア（複数バリア）の形および位置が本発明から逸脱することなく、図面内に示されるものから変更されることができることもまた、理解されよう。例えば、バリアの単一のラインまたはバリアの３本以上のラインが、設けられることができる。また、チューブが平らにされた側面を必要とせず、代わりとして楕円形のまたはおそらく実質的円形断面であることができる。
【００４９】
また、チューブが弾性材料から作られること、およびそれが引伸しによってその延びてない状態からその延びた状態まで移動することが好まれるのに対して、本発明は、他の手段によって予め形成されることができ、例えば、必要に応じて、チューブが入れ子式動作経由でまたは蛇腹形方法で延びることができる。
【符号の説明】
【００５０】
４０  鉤状のツール  フッキングツール
４２  ハウジング
４４  ベース部分
４６  最上部
５０  クリップ
５２  ラッチ部材
６０  ハンドル
６２、６４  フォーク
６６  フック
１１０  チューブ
１１２  側面
１１４  縁部
１２０  バリア
１２２、１２４  ライン
１２６  第１の端部
１２８  第２の端部
１３０  中央領域
２１０  チューブ
２１２  側面
２２０  バリア
２２２、２２４  ライン
３２０  バリア
３２０ａ、３２０ｂ  バリア部
４１０  チューブ
４１４  縁部
４２０  バリア
４３２  くぼみ
５１０  チューブ
５２０  バリア
６１０  チューブ
６２０  バリア
６３０  中央開口部
７１０  チューブ
７２６  端部
７２８  端部
７３０  中央通路
８１０  チューブ
８４２  ハウジング
【図１】
2014512929.tif 000003
【図２】
2014512929.tif 000004
【図３】
2014512929.tif 000005
【図４】
2014512929.tif 000006
【図５】
2014512929.tif 000007
【図６】
2014512929.tif 000008
【図７】
2014512929.tif 000009
【図８】
2014512929.tif 000010
【図９】
2014512929.tif 000011
【図１０】
2014512929.tif 000012
【図１１】
2014512929.tif 000013
【図１２】
2014512929.tif 000014
【図１３】
2014512929.tif 000015
【図１４】
2014512929.tif 000016
【図１５】
2014512929.tif 000017
【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
ウェーブを髪の毛にかけるためのヘアスタイリング装置であって、前記装置が、縦方向軸を有するチューブであって、延びてない状態と延びた状態との間を縦方向に延伸可能な前記チューブを備え、前記チューブがその延びた状態からその延びてない状態まで移動するにつれて前記ヘアスタイリング装置が前記ウェーブを前記髪の毛にかけるように適応され、前記チューブがその延びてない状態でその縦方向端部の少なくとも１つで開いており、それによって前記髪の毛が前記チューブ内に導入されることができ、その延びてない状態の前記チューブが、前記髪の毛がそれに沿って通されることができる開通路を有し、前記装置が、前記チューブ用のハウジングを含み、前記ハウジングが第１の部分および第２の部分を有し、前記第１の部分が前記第２の部分と分離可能であり、前記ハウジングが、前記髪の毛をつかむ少なくとも１つの手段を具備し、前記チューブがその延びてない状態の方へ移動するにつれて前記チューブの内部が、前記髪の毛を係合することができる少なくとも１つのバリアを有することを特徴とする装置。
【請求項２】
前記チューブが、弾性材料でできていてかつその縦方向端部の両方で開いていることを特徴とする請求項１に記載の装置。
【請求項３】
複数のバリアが、前記チューブ内部の所定の位置にあることを特徴とする請求項１または請求項２に記載の装置。
【請求項４】
バリアの２本のラインがあることを特徴とする請求項３に記載の装置。
【請求項５】
前記バリアの２本のラインが、離れて間隔を置かれ、かつ前記バリアのラインの間の開通路を規定することを特徴とする請求項４に記載の装置。
【請求項６】
一方のライン内の前記バリアが、もう一方のライン内の前記バリアからオフセットされることを特徴とする請求項４または請求項５に記載の装置。
【請求項７】
前記バリアが、前記チューブに完全にまたがることを特徴とする請求項１−６のいずれか１項に記載の装置。
【請求項８】
前記または各バリアが、前記チューブのくぼみによって形成されることを特徴とする請求項１−３のいずれか一項に記載の装置。
【請求項９】
前記チューブが、非円形断面を有することを特徴とする請求項１−８のいずれか１項に記載の装置。
【請求項１０】
前記チューブが、２つの実質的に平らな側面および２つの縁部を備える実質的に長方形の断面を有することを特徴とする請求項９に記載の装置。
【請求項１１】
前記バリアが、前記実質的に平らな側面の両方ともに接続されることを特徴とする請求項９に記載の装置。
【請求項１２】
前記バリアが、螺旋形であることを特徴とする請求項１または請求項２に記載の装置。
【請求項１３】
前記開通路が、線形であることを特徴とする請求項１−１２のいずれか１項に記載の装置。
【国際調査報告】
2014512929.tif 000018
2014512929.tif 000019